(57)【要約】【課題】鉄塔等の山形の主柱材に取り付けるもので、取付けが極めて簡単であり、取付け後に当該個所を作業者が容易に昇降できる落下物防護ネットを提供する。【解決手段】断面略Ｌ型の山形主柱材Ｓに固定する取付け具１と、当該取付け具に取り付ける開閉自在な骨組体２と、当該骨組体２に張り巡らすネット体３とから成り、前記取付け具１は前記山形主柱材Ｓの外面に当接自在なＬ型材からなり、このＬ型材に前記骨組体２の支持部５を設け、前記Ｌ型材の各片に、固定駒６を夫々摺動自在且つ固定自在に設け、各固定駒６のネジを回すことにより各係止片が前記山形主柱材の両端を押してこれを挟持する構成とし、前記骨組体は基部から放射状に複数のステー１０が伸び、各ステー１０の一端を前記基部２ａに垂直方向に回転自在に支持し、当該各ステー１０が拡がった状態で前記ネット体３が各ステー１０に支持されている。【選択図】      図１
2011241634.tif 000002
【特許請求の範囲】
【請求項１】
断面略Ｌ型の山形主柱材に固定する取付け具と、当該取付け具に取り付ける開閉自在な骨組体と、当該骨組体に張り巡らされるネット体とから成り、
前記取付け具は前記山形主柱材の外面に自体の各片の内側を当接自在なＬ型材からなり、このＬ型材に前記骨組体の支持部を設け、前記Ｌ型材の各片に、各固定駒の貫通孔に各片を通して各固定駒を夫々摺動自在に設け、当該各固定駒は、各片に設けた複数の貫通孔又は側面溝条と当該固定駒に設けた貫通孔の位置を合わせた状態で各固定駒の貫通孔及び各片の貫通孔又は側面溝条にピンを挿入することにより各片に固定され、また、各固定駒に設けたネジを回すことにより、当該ねじの先端に押されて前記各片に沿って摺動する係止片を設け、前記山形主柱材の外面にＬ型材の内面を重ねて、各固定駒を各片に固定して前記山形主柱材の両端部にそれぞれ近接させ、各ネジを回すことにより、各係止片が前記山形主柱材の両端を押してこれを挟持する構成とし、
前記骨組体は基部から放射状に複数のステーが伸び、各ステーの一端を前記基部に垂直方向に回転自在に支持し、前記山形主柱材の各片の内側にステーが来ないようにして各ステーが拡がった状態で前記ネット体が前記山形主柱材の外周にはり巡らされるように各ステーに取り付けられたことを特徴とする、落下物防護ネット。
【請求項２】
前記取付け具の骨組体支持部は、上面が開口した嵌合孔を有し、当該嵌合孔に前記骨組体の基部の下面から突出した短柱を嵌合する構成としたことを特徴とする、請求項１に記載の落下物防護ネットとした。
【請求項３】
前記山形主柱材の周囲を張り巡らすネット体が、前記山形主柱材の各片の外側に張られる主ネット体と、前記山形主柱材の各片の内側に張られる補助ネット体に分離され、前記主ネット体は予め前記山形主柱材の各片の外側に位置する複数のステーに張り巡らされ、前記補助ネット体の両側縁が主ネット体の両側縁に着脱自在に取り付けられることを特徴とする、請求項１又は２に記載の落下物防護ネット。
【請求項４】
前記主ネットは、前記骨組体の基部に相応する箇所から放射状に、各ステーを挿通自在な細長い袋を有し、当該各袋部は、前記骨組体の基部に相応する箇所に開口部を有していることを特徴とする、請求項１、２又は３のいずれかに記載の落下物防護ネット。
【請求項５】
前記各固定駒に一端を固定し、他端が前記山形主柱材の各片の内側に平行して伸びた支持棒を設け、各支持材に前記補助ネット体の両側縁を支持させる構成としたことを特徴とする、請求項３又は４に記載の落下物防護ネット。
【請求項６】
前記補助ネット体の両側縁に、前記支持棒が挿通される、一端が開口した細長の袋部を設けたことを特徴とする、請求項５に記載の落下物防護ネット。
【請求項７】
前記取付け具のＬ型材の各片の内側に永久磁石を埋設したことを特徴とする、請求項１、２、３、４、５又は６のいずれかに記載の落下物防護ネット。
【請求項８】
前記取型材は付け具のＬ各片が、ヒンジ機構により折り畳み自在であることを特徴とする、請求項１、２、３、４、５，６又は７に記載の落下物防護ネット。
【発明の詳細な説明】
【技術分野】
【０００１】
この発明は、主として鉄塔等の山形鋼から成る主柱材等の柱に取り付けて、当該柱上での作業の際の工具や部材等の落下物を捕集する落下物防護ネットに関するものである。
【背景技術】
【０００２】
山形鋼から成る鉄塔の主柱材上での部材の取替え等の種々の作業において、作業中に工具やボルト、ナット等の部材が落下すると、高所からの落下の場合加速度がついて、その下方にいる人間や器物に当たると極めて危険である。
【０００３】
そこで、当該作業の場合、作業箇所のすぐ下の主柱材の外周にネットを張り、作業中に工具や部材が落下したとき、当該落下物を捕集し、当該落下物が地上付近まで落下するのを防いでいる。
【０００４】
また、電柱用の落下物防護ネットでは、特許文献１に示すように、電柱に締着固定する取付台に枢着した各アーム体を拡げた状態でネットを展開して、両側のアーム体間に電柱の背部に回して弾性体よりなるバンドを連結可能とした電柱用安全ネットにおいて、先端に環を設けた主アームの上部にそれよりも細径の補助アームを分岐状に設け、該補助アームの基端部に環を設け、前記取付台の上部プレートに補助アームの基端部を、また、下部プレートに主アームの基端部を夫々回動自在に枢着した複数のアーム体を設けたものがある。
【０００５】
また、組み上げた１本の鉄骨柱の周りにはる落下防止ネット装置では、特許文献２に示すように、複数本の骨部材とこの骨部材の間に配設したネットとからなる鉄骨柱まわりに配置されるネット体と、鉄骨柱に取り付けられ、前記骨部材の下端それぞれが連結して前記ネット体を傘状に開閉可能に支持する下部支持手段と、前記下部支持手段より上位置で鉄骨柱に取り付けられ、前記ネット体の骨部材の上端に連結したロープを有する上部支持手段とを備えるものがある。
【０００６】
また、特許文献３に記載のものは、鉄塔の高所での作業時に使用する落下防止ネットであるが、鉄塔の架線アーム部に架設された電力線を下方から両側方にかけて囲む大きさに形成されたネット体と、ネット体の前端部に連結された電線固定用金具と、ネット体の後部に設けられて、鉄塔につながれる後部取付け部材とを備えて、電力線と交差する横方向に配置される横架杆材を備えるとともに、ネット体の前端部が展開した状態で横架杆材に固定され、また、鉄塔と電力線との間に架け渡された作業用梯子又は鉄塔に固定されるネット展張用杆体を備えたものである。
【０００７】
【特許文献１】実公昭６３−４０６０６号公報
【特許文献２】実開平３―３７１４６号公報
【特許文献３】特開２００９−２４７１２６号公報
【発明の開示】
【発明が解決しようとする課題】
【０００８】
特許文献１のものは電柱用の安全ネットであり、電柱の一側に取り付けられた取付台に複数のアーム体を枢着し、これらの各アーム体を水平に拡げて展開し、これらのアーム体に支持されたネットを拡げるものであるが、電柱の背面側にはネットが拡がっておらず、この上方側での電柱作業の際の落下物を捕集することはできない。つまり、電柱のほぼ片側のみにネットを張ったものである。また、当該ネットが張られている時、作業者が電柱を昇降するときは、当該ネットの張られた箇所を避け、電柱の背部に回り込んで昇降しなければならない。
【０００９】
また、特許文献２に示すものは、鉄骨柱の周囲に下部支持手段を取り付け、この下部支持手段に回転自在に取り付けた複数の骨部材を放射状に拡げて各骨部材の先端をロープで連結し、これらのロープの他端を、鉄骨柱の周囲に取り付けた上部支持手段に取り付けるなど、鉄骨柱への取り付けが、極めて手間のかかる煩雑なものである。また、この落下防止ネットは傘状に張られた複数の骨部材の先端はロープで吊り下げられているため、風等が吹くと不安定である。また、この様にロープで吊り下げられていると、各骨部材は開閉するが、作業者はこのネットが張られた箇所の鉄骨柱を昇降出来ない。たとえ各骨部材が開閉しても、作業者がロープに引っ掛かる恐れがある。
【００１０】
さらに、特許文献３のものは、鉄塔の架線アーム箇所の作業用のもので、かなり大がかりな取付け作業を要する。また、鉄塔の一つの主柱材に取り付けるものではない。この様に、現状では、鉄塔等の山形の主柱材に取り付けて、主柱材の上方で作業する際の落下物の防護ネットにおいて、容易に取付けられ、取付けられた状態で、このネット箇所を作業者が容易に昇降できるものはない。
【００１１】
そこでこの発明は、鉄塔等の山形の主柱材に取り付けるもので、取付けが極めて簡単であり、取付け後に当該個所を作業者が容易に昇降できる落下物防護ネットを提供することを目的としたものである。
【課題を解決するための手段】
【００１２】
請求項１の発明は、断面略Ｌ型の山形主柱材に固定する取付け具と、当該取付け具に取り付ける開閉自在な骨組体と、当該骨組体に張り巡らされるネット体とから成り、前記取付け具は前記山形主柱材の外面に自体の各片の内側を当接自在なＬ型材からなり、このＬ型材に前記骨組体の支持部を設け、前記Ｌ型材の各片に、各固定駒の貫通孔に各片を通して各固定駒を夫々摺動自在に設け、当該各固定駒は、各片に設けた複数の貫通孔又は側面溝条と当該固定駒に設けた貫通孔の位置を合わせた状態で各固定駒の貫通孔及び各片の貫通孔又は側面溝条にピンを挿入することにより各片に固定され、また、各固定駒に設けたネジを回すことにより、当該ねじの先端に押されて前記各片に沿って摺動する係止片を設け、前記山形主柱材の外面にＬ型材の内面を重ねて、各固定駒を各片に固定して前記山形主柱材の両端部にそれぞれ近接させ、各ネジを回すことにより、各係止片が前記山形主柱材の両端を押してこれを挟持する構成とし、前記骨組体は基部から放射状に複数のステーが伸び、各ステーの一端を前記基部に垂直方向に回転自在に支持し、前記山形主柱材の各片の内側にステーが来ないようにして各ステーが拡がった状態で前記ネット体が前記山形主柱材の外周にはり巡らされるように各ステーに取り付けられた、落下物防護ネットとした。
【００１３】
また、請求項２の発明は、請求項１の発明において、前記取付け具の骨組体の支持部は、上面が開口した嵌合孔を有し、当該嵌合孔に前記骨組体の基部の下面から突出した短柱を嵌合する構成とした、落下物防護ネットとした。
【００１４】
また、請求項３の発明は、請求項１又は２の発明において、前記山形主柱材の周囲を張り巡らすネット体が、前記山形主柱材の各片の外側に張られる主ネット体と、前記山形主柱材の各片の内側に張られる補助ネット体に分離され、前記主ネット体は予め前記山形主柱材の各片の外側に位置する複数のステーに張り巡らされるように固定され、前記補助ネット体の両側縁が主ネット体の両側縁に着脱自在に取り付けられる構成である、落下物防護ネットとした。
【００１５】
また、請求項４の発明は、請求項１、２又は３のいずれかの発明において、前記主ネット体は、前記骨組体の基部に対応する箇所から放射状に、各ステーを挿通自在な細長い袋部を有し、当該各袋部は、前記骨組体の基部に対応する箇所に夫々開口部を有している、落下物防護ネットとした。
【００１６】
また、請求項５の発明は、請求項３又は４の発明において、前記各固定駒に一端を固定し、他端が前記山形主柱材の各片の内側に平行して伸びた支持棒を設け、各支持材に前記補助ネット体の両側縁を支持させる構成とした、落下物防護ネットとした。
【００１７】
また、請求項６の発明は、請求項５の発明において、前記補助ネット体の両側縁に、前記支持棒が夫々挿通される、一端が開口した細長の袋部を設けた、落下物防護ネットとした。
【００１８】
また、請求項７の発明は、請求項１、２、３、４、５又は６のいずれかの発明において、前記取付け具のＬ型材の各片の内側に永久磁石を埋設した、落下物防護ネットとした。
【００１９】
また、請求項８の発明は、請求項１、２、３、４、５，６又は７のいずれかの発明において、前記取付け具のＬ型片が、ヒンジ機構により折り畳み自在である、落下物防護ネットとした。
【発明の効果】
【００２０】
請求項１の発明によれば、取付け具の主柱材への取付けは、L型材の各片の内側面を山形主柱材の外面に当て、両側の固定駒が当該主柱材の各片の端部に来るようにピンで固定し、ネジを回すことにより両側から山形主柱材を挟持することにより容易に固定できる。また、骨組体は、取付け具の支持部に取付け、各ステーを広げ、これらの各ステーにネット体を取付けることにより、山形主柱材の外周にネット体が張り巡らされる。従って、山形主柱材への取付が極めて簡単である。
【００２１】
これにより、このネットの上方の主柱材での作業に際し、工具や部材が誤って落下しても、当該ネットでこれらを捕集し、さらに下方に落下しない。さらに、作業者が、このネットの箇所を通過して主柱材を昇降する場合、該当する箇所のステーを上方に上げて主柱材に固定すれば、容易に作業者は通過できる。また、この発明のネットは、主柱材への取付け具と、骨組体とネット体に分かれており、鉄塔などの高所に運ぶのにも嵩張らず、便利であり、保管、運搬の際、場所をとらない。
【００２２】
また、請求項２の発明によれば、前記取付け具の骨組体の支持部は、上面が開口した嵌合孔を有し、当該嵌合孔に前記骨組体の基部の下面から突出した短柱を嵌合する構成としたため、取付け具への骨組体の取付が容易である。
【００２３】
また、請求項３の発明によれば、ネット体は主ネット体と補助ネット体に分離されているため、予め主ネット体を骨組体の各ステーに取付けておき、当該ネットの主柱材への取付が終了する最後に補助ネット体を、主ネット体に取付ければ完了し、取付がより容易である。
【００２４】
また、請求項４の発明によれば、主ネット体の骨組体の各ステーへの取付が、各袋部に各ステーを挿入すれば完了し、さらに取付けが容易である。また、請求項５の発明によれば、各固定駒から前記山形主柱材の各片の内側に平行して伸びた支持棒に前記補助ネット体の両側縁を支持させる構成としたため、補助ネット体の両側縁が確実に支持され、当該箇所に落下物が落ちても、落下物を確実に捕集できる。また、請求項６の発明によれば、前記支持棒への補助ネットの両側縁の支持が、袋部への支持棒の挿入によりでき、取付けが極めて容易である。
【００２５】
また、請求項７の発明によれば、取付け具のＬ型材の各片の内側に永久磁石を埋設しているため、取付け具を山形主柱材の外側面に当てると、永久磁石により、当該取付け具が仮止めされ、作業者が手を離しても落下せず、取り付け作業が容易となる。また、請求項８の発明によれば、取付け具のＬ型片が、ヒンジ機構により折り畳み自在となっているため、各部材がさらに嵩張らず、収納、運搬の際便利である。
【発明を実施するための最良の形態】
【００２６】
この発明は、断面略Ｌ型の山形主柱材に固定する取付け具と、当該取付け具に取り付ける開閉自在な骨組体と、当該骨組体に張り巡らすネット体とから成り、前記取付け具は前記山形主柱材の外面に自体の各片の内側を当接自在なＬ型材からなり、このＬ型材の直角基部の外側に前記骨組体の支持部を設け、前記Ｌ型材の各片に、各固定駒の貫通孔に各片を通して各固定駒を夫々摺動自在に設け、当該各固定駒は、各片に設けた複数の貫通孔又は側面溝条と当該固定駒に設けた貫通孔の位置を合わせた状態で各固定駒の貫通孔及び各片の貫通孔又は側面溝条にピンを挿入することにより各片に固定され、また、各固定駒に設けたネジを回すことにより、当該ねじの先端に押されて前記各片に沿って摺動する係止片を設け、前記山形主柱材の外面にＬ型材の内面を重ねて、各固定駒を各片に固定して前記山形主柱材の両端部にそれぞれ近接させ、各ネジを回すことにより、各係止片が前記山形主柱材の両端を押してこれを挟持する構成とし、前記骨組体は基部から放射状に複数のステーが伸び、各ステーの一端を前記基部に垂直方向に回転自在に支持し、前記山形主柱材の各片の内側にステーが来ないように当該各ステーが拡がった状態で前記ネット体が前記山形主柱材の外周にはり巡らされる落下物防護ネットである。
【００２７】
これにより、極めて簡単に山形主柱材に取付けられ、また、取付け具と骨組体とネット体に分かれているため、運搬、収納に便利であり、さらに、当該ネットを取付けた主柱材を作業者が容易に昇降できる特徴を有している。
【実施例１】
【００２８】
以下、この発明の実施例１を図に基づいて説明する。図１はこの発明のネットの使用状態を示す正面図、図２は同平面図、図３はこの発明の取付け具の平面図、図４はこの発明のネット体の平面図である。
【００２９】
実施例１の落下物防護ネットは、鉄塔の山形主柱材Sに固定する断面略Ｌ型の取付け具１と、当該取付け具１に取り付ける開閉自在な骨組体２と、当該骨組体２に張り巡らされるネット体３とから成る。
【００３０】
前記取付け具１は前記山形主柱材Sの外面に自体の各片４ａの内側面を当接自在なＬ型材４からなり、このＬ型材４の直角基部の外側に前記骨組体の支持部５を設け、前記Ｌ型材４の各片４ａに、各固定駒６の貫通孔６ａに各片４ａを通して各固定駒６を夫々摺動自在に設けている。
【００３１】
また、このＬ型材４の各片４ａは一方がヒンジ機構により、図７に示すように、折り畳み自在となっている。また、前記支持部５には嵌合孔５ａを設け、その外周にはアイボルト５ｂが設けられ、当該アイボルト５ｂは、前記嵌合孔５ａの内周に突出自在に支持部５に螺着貫通している。なお、このアイボルト５ｂにロープを掛けて作業者が腰に下げて鉄塔を昇ることもできる。
【００３２】
これらの各固定駒６は、各片４ａに設けた複数の貫通孔４ｂと当該固定駒６に設けた貫通孔６ａの位置を合わせた状態で各固定駒６の貫通孔６ａ及び各片４ａの貫通孔４ｂにピン７を挿入することにより各片４ａに固定される。また、前記各片４ａの貫通孔４ｂは、各片４ａに沿って複数設けられている。従って、各固定駒６は、これらの複数の貫通孔４ｂのうちの任意の貫通孔４ｂ箇所で、各片４ａに固定することができる。
【００３３】
また、各固定駒６は、図４に示すように、各固定駒６内に回転自在に設けられた可動軸６ｂの横腹に設けられたネジ孔６ｃを螺着貫通したネジ６ｄが設けられている。そしてこのネジ６ｄを回すことにより、当該ねじ６ｄの先端に押されて、前記各片４ａに沿って摺動する様に規制された係止片６ｅが設けられている。従って、ネジ６ｄを回すことにより、前記係止片６ｅが前方（図４の矢印方向に摺動するように構成されている。
【００３４】
さらに、これらの各固定駒６の外面には、図３に示すように、摺動自在な支持棒８が軸受け８ａに取付けられている。各指支持棒８は、当該取付け具１が山形主柱材Ｓに取付けられた際、Ｌ型材４の各片４ａと平行になるように突出自在に支持されている。また、前記Ｌ型材４の各片４ａの内側面には永久磁石９が埋め込まれている。
【００３５】
この取付け具１の山形主柱材Ｓへの取付けは、図３に示すように、前記山形主柱材Ｓの外面にＬ型材４の内側面を重ねる。その際、永久磁石９の磁力によりＬ型材４の各片４ａは山形主柱材Ｓの外面に吸い着く。従って、この状態で作業者は手を取付け具１から離すことができる。そして当該取付け具１のＬ型材４を山形主柱材Ｓの外面に、各角部を合わせて、図３に示すように取付ける。
【００３６】
そして、各固定駒６を、前記山形主柱材Ｓの両端部に近接させて、各片４ａに固定する。この固定は、上述のように、各固定駒６の貫通孔６ａを各片４ａの任意の貫通孔４ｂにあわせてピン７をこれらの貫通孔４ｂ及び６ａに挿入して固定する。そして、各固定駒６のネジ６ｄを回すことにより、各係止片６ｅが前記山形主柱材Ｓの両端を押して当該山形主柱材Ｓを挟持することにより、取付け具１は山形主柱材Ｓに取付けられる。
【００３７】
次に、前記骨組体２は、図５及び７に示すように、基部２ａに４本のステー１０の各基端部１０ａを軸支され、放射状（十字型）に拡がるように設けられている。これらの各ステー１０は、その基端部１０ａに、図１及び図７に示すように、突起状のストッパー１０ｂを有し、各ステー１０が放射状に拡げられた際、図１に示すように、前記ストッパー１０ａが基部２ａの水平面２ｂに当たり、水平より上方に各先端が位置するように規制されている。
【００３８】
また、図７に示すように各ステー１０が上に上がるように、垂直方向に回転自在となっている。また、基部２ａの下面から短柱２ｃが設けられ、前記取付け具１の支持部５を構成する嵌合孔５aに嵌合自在である。さらに、前記短柱２ｃが嵌合孔５aに嵌合された際、アイボルト５ｂを締め付けることにより、短柱２ｃは嵌合孔５aからむやみに抜けない構成となっている。
【００３９】
また、前記ネット体３は、図６に示すように略ひし形を成し、各対角線上に細長の袋部１１を設けている。これらの袋部１１のうち、隣接する二つの袋部１１を挟んで、ネット体３は分割され、前記４つの袋部１１を有する主ネット体３ａと前記二つの袋体１１に挟まれた補助ネット体３ｂとに分けられている。
【００４０】
そして、これらの主ネット体３ａと補助ネット体３ｂとは、突き合わせ端部に、面ファスナーを有する重合片１２を設け、これらの重合片１２を重ねることにより、面ファスナーで接合され、一枚のネット体３となる。
【００４１】
また、前記主ネット体３ａの各袋部１１は、開口部１１ａが、ネット体３の中央部に位置して設けられ、これらの各開口部１１ａから各袋部１１に前記ステー１０が挿入されるようになっている。また、前記補助ネット体３ｂの角部にも細長の袋部１３が設けられ、これらの袋部１３の開口部１３ａは、角部とは反対端に設けられ、これらの各開口部１３ａから各袋部１３に前記固定駒６から突出した支持棒８が挿入されるようになっている。
【００４２】
そして、前記骨組体２の各ステー１０を前記主ネット体３ａの各袋部１１に挿入する。そして鉄塔の山形主柱材Ｓに取り付けられた取付け具１の嵌合孔５ａに、各ステー１０をすぼめた状態で骨組体２の短柱２ｃを挿入する。そこで、各ステー１０が、山形主柱材Ｓの内側に来ないように調整し、アイボルト５ｂを締め付けて骨組体２を取付け具１に固定する。
【００４３】
その後、骨組体２の各ステー１０を開き、さらに、ネット体３の補助ネット体３ｂを主ネット体３ａに取り付ける。その際、各固定駒６から支持棒８を伸ばして各袋部１３に挿入する。これにより、当該補助ネット３ｂの両端縁は、直角に位置する二つの支持棒８に支えられ、また、相互の重合片１２を面ファスナーで接合するため、補助ネット３ｂの繋ぎ目から工具等の落下物が落ちる恐れはない。さらに、主ネット体３ａ及び補助ネット体３ｂは隣接するステー１０の間は下方に弛ませるようにする。これにより、上方から落下物が落ちてきた場合、弛んだネットにより衝撃が緩衝される。
【００４４】
この様に取り付けられた落下物防護ネットは、図１及び図２に示すように、鉄塔の山形主柱材Ｓの外周全周にネット体３が張り巡らされ、このネットの上での作業において、作業者が万一、工具類やボルト等の部材を落としてもこれらをネットが受け、鉄塔の下方に落下しない。
【００４５】
また、この様にネットが張られた状態で作業者が当該ネットを超えて鉄塔の山形主柱材Ｓを昇降する場合は、通過する箇所のステー１０を押し上げ又は吊り上げれば山形主柱材Ｓに沿ってステー１０やネット体３を畳むことができ、この状態で通過できる。また、山形主柱材Ｓの内側を昇降する場合は、前記補助ネット体３ｂを、主ネット体３ａから取り外せば、容易に昇降できる。
【００４６】
また、上記実施例１の取付け具１のＬ型材４の各片４ａに設けた複数の貫通孔４ｂに代えて、図８に示すように、各片の側面に断面半円形の側面溝条１４を複数設け、これらの任意の側面溝条１４と各固定駒６の貫通孔６ａとを合わせてピン７をこれらの貫通孔６ａと側面溝条１４に差し込めば、各固定駒６は各片４ａに固定される。
【００４７】
また、この発明のネットは上述のように、取付け具１、骨組体２、ネット体３に分かれており、取付け現場でこれらを組み立てればよく、取付けが簡単で、迅速に組み立て、取付けができる。さらに、図７に示すように、取付け具１及び骨組体２夫々小さく折り畳むことができ、また、図示は省略したが、ネット体３も勿論小さく折り畳める。従って、運搬、収納等に便利である。
【００４８】
なお、上記実施例では鉄塔の山形主柱材にこの発明のネットを取り付ける例を示したが、この発明のネットは他の山形鋼を用いた主柱材にも使用できるものである。また、前記ネット体３の構成も上記実施例１に限るものではなく、山形主柱材に取付け具１を取付け、さらに骨組体２を取付け具に取り付け、その後、前記骨組体２の上から略環状のネット体を取り付けても良い。また、補助ネット体３ｂの角部両側縁は、上記実施例１では支持棒８に支持されているが、支持棒８に限らず、角部にロープを設け、当該ロープを山形主柱材Ｓの外周に巻き回して角部を山形主柱材で支持させるようにしても良い。また、前記取付け具１は、この発明ではネットの骨組体２を支持するものに使用したが、これに限らず、山形鋼等のアングル材に取り付けて、他の部材を支持する取付け具としても使用できる。その場合、骨組体の支持部に代えた、他の部材に合わせた支持部構造をとることとなる。
【図面の簡単な説明】
【００４９】
【図１】この発明の実施例１の使用状態を示す正面図である。
【図２】この発明の実施例１の使用状態における一部断面平面図である。
【図３】この発明の実施例１の取付け具の平面図である。
【図４】この発明の実施例１の取付け具のＬ型片への固定駒の固定構造を示す説明断面図である。
【図５】この発明の実施例1の骨組体の一部切欠平面図である。
【図６】この発明の実施例１のネット体の分解平面図である。
【図７】この発明の実施例１のネット体を除いた部材を折り畳んだ状態を示す構成図である。
【図８】この発明の実施例１の取付け具のＬ型材への固定駒の他の固定構造を示す説明断面図である。
【符号の説明】
【００５０】
１      取付け具                  ２      骨組体
２ａ    基部                      ２ｂ    水平面
２ｃ    短柱                      ３      ネット体
３ａ    主ネット体                ３ｂ    補助ネット体
４      Ｌ型材                    ４ａ    片
４ｂ    貫通孔                    ５      支持部
５ａ    嵌合孔                    ５ｂ    アイボルト
６      固定駒                    ６ａ    貫通孔
６ｂ    可動軸                    ６ｃ    ネジ孔
６ｄ    ネジ                      ６ｅ    係止片
７      ピン                      ８      支持棒
９      永久磁石                  １０    ステー
１０ａ  基端部                    １０ｂ  ストッパー
１１    袋部                      １１ａ  開口部
１２    重合体                    １３    袋部
１３ａ  開口部                    Ｓ      山形主柱材
【図１】
2011241634.tif 000003
【図２】
2011241634.tif 000004
【図３】
2011241634.tif 000005
【図４】
2011241634.tif 000006
【図５】
2011241634.tif 000007
【図６】
2011241634.tif 000008
【図７】
2011241634.tif 000009
【図８】
2011241634.tif 000010